(57)【要約】【課題】足等が載る載置部材を清潔に保つことができ、足等を載せた際に肌触りがよく、冷たさを感じることのない生体情報測定装置用カバーを提供する。【解決手段】パイルが織り込まれた布素材から成り、足等が載る載置部材１２と、載置部材１２の外周部分に設けられ、生体情報測定装置２０の測定面２４に載置部材１２を着脱可能に固定する固定手段１４と、を備える。【選択図】図２
0003190833.tif 000002
【実用新案登録請求の範囲】
【請求項１】
パイルが織り込まれた布素材から成り、足等が載る載置部材と、
前記載置部材の外周部分に設けられ、生体情報測定装置の測定面に前記載置部材を着脱可能に固定する固定手段と、
を備える生体情報測定装置用カバー。
【請求項２】
前記固定手段は、生体情報測定装置に形成された取付部に係止される、請求項１に記載の生体情報測定装置用カバー。
【請求項３】
前記取付部は、生体情報測定装置の裏面に形成された溝であり、前記固定手段は、前記溝に嵌合されるフックである、請求項２に記載の生体情報測定装置用カバー。
【請求項４】
前記取付部は、生体情報測定装置の側面に形成された凸部であり、前記固定手段は、前記凸部に係止される環状の紐である、請求項２に記載の生体情報測定装置用カバー。
【請求項５】
前記取付部は、生体情報測定装置の裏面に形成された溝に取り付けられた留め具であり、前記固定手段は、前記留め具に係止される環状の紐である、請求項２に記載の生体情報測定装置用カバー。
【請求項６】
前記固定手段は、両端が前記載置部材に取り付けられ、生体情報測定装置の裏面に掛け渡される帯状のバンドである、請求項１に記載の生体情報測定装置用カバー。
【請求項７】
前記載置部材は、生体情報測定装置に取り付けられたシリコン樹脂カバーを介して生体情報測定装置の測定面に固定される、請求項１〜請求項６のいずれか１項に記載の生体情報測定装置用カバー。
【請求項８】
前記載置部材はタオル生地から成る、請求項１〜請求項７のいずれか１項に記載の生体情報測定装置用カバー。
【請求項９】
前記載置部材は、足型に裁断された一対の布素材である、請求項１〜請求項８のいずれか１項に記載の生体情報測定装置用カバー。
【請求項１０】
前記載置部材は、生体情報測定装置の情報表示部を覆わないための切欠き又は穴が設けられた四角形状の布素材である、請求項１〜請求項８のいずれか１項に記載の生体情報測定装置用カバー。
【考案の詳細な説明】
【技術分野】
【０００１】
本考案は、生体情報測定装置用カバーに関する。
【背景技術】
【０００２】
従来、体重計等の生体情報測定装置で体重を測定する際には、生体情報測定装置の測定面に直接足等を載せて計測を行っている。
【考案の概要】
【考案が解決しようとする課題】
【０００３】
しかし、生体情報測定装置を毎日使用したり、不特定多数の人が使用すると、生体情報測定装置の測定面が汚れ、不衛生となる。
また、生体情報測定装置の測定面は、一般に、プラスチック、ガラス、金属などで形成されていることから、特に冬場などは、足等を載せた際に、冷たさを感じることがある。
【０００４】
本考案は上記事実を考慮し、足等が載る載置部材を清潔に保つことができ、足等を載せた際に肌触りがよく、冷たさを感じることのない生体情報測定装置用カバーを提供することを目的とする。
【課題を解決するための手段】
【０００５】
本考案の請求項１に係る生体情報測定装置用カバーは、パイルが織り込まれた布素材から成り、足等が載る載置部材と、前記載置部材の外周部分に設けられ、生体情報測定装置の測定面に前記載置部材を着脱可能に固定する固定手段と、を備える。
【０００６】
上記構成によれば、足等が載る載置部材が、パイルが織り込まれた布素材から成るため、吸水性がよい。また、肌触りがよく、冷たさを感じない。さらに、生体情報測定装置用カバーは外周部分に設けられた固定手段によって生体情報測定装置の測定面に着脱可能に固定されているため、生体情報測定装置用カバーを取り外して洗濯することで、載置部材を清潔に保つことができる。
【０００７】
本考案の請求項２に係る生体情報測定装置用カバーは、前記固定手段は、生体情報測定装置に形成された取付部に係止される。
【０００８】
また、本考案の請求項３に係る生体情報測定装置用カバーは、前記取付部は、生体情報測定装置の裏面に形成された溝であり、前記固定手段は、前記溝に嵌合されるフックである。
【０００９】
また、本考案の請求項４に係る生体情報測定装置用カバーは、前記取付部は、生体情報測定装置の側面に形成された凸部であり、前記固定手段は、前記凸部に係止される環状の紐である。
【００１０】
また、本考案の請求項５に係る生体情報測定装置用カバーは、前記取付部は、生体情報測定装置の裏面に形成された溝に取り付けられた留め具であり、前記固定手段は、前記留め具に係止される環状の紐である。
【００１１】
上記構成によれば、溝とフック、凸部と環状の紐、留め具と環状の紐、等の取付部と固定手段とを設けることによって、生体情報測定装置用カバーを生体情報測定装置に容易に着脱することができる。
【００１２】
本考案の請求項６に係る生体情報測定装置用カバーは、前記固定手段は、両端が前記載置部材に取り付けられ、生体情報測定装置の裏面に掛け渡される帯状のバンドである。
【００１３】
上記構成によれば、生体情報測定装置用カバーの固定手段を帯状のバンドとすることで、生体情報測定装置に取付部が形成されていない場合であっても、生体情報測定装置用カバーを生体情報測定装置に容易に取り付けることができる。
【００１４】
本考案の請求項７に係る生体情報測定装置用カバーは、前記載置部材は、生体情報測定装置に取り付けられたシリコン樹脂カバーを介して生体情報測定装置の測定面に固定される。
【００１５】
上記構成によれば、生体情報測定装置用カバーとシリコン樹脂カバーとで、二重に生体情報測定装置の測定面を保護することができる。
【００１６】
本考案の請求項８に係る生体情報測定装置用カバーは、前記載置部材はタオル生地から成る。
【００１７】
上記構成によれば、載置部材がタオル生地であるため、吸水性に優れ、肌触りがよい。
【００１８】
本考案の請求項９に係る生体情報測定装置用カバーは、前記載置部材は、足型に裁断された一対の布素材である。
【００１９】
また、本考案の請求項１０に係る生体情報測定装置用カバーは、前記載置部材は、生体情報測定装置の情報表示部を覆わないための切欠き又は穴が設けられた四角形状の布素材である。
【００２０】
上記構成によれば、生体情報測定装置の測定面の少なくとも足が載る部分を生体情報測定装置用カバーで覆うことで、測定面を清潔に保つことができる。また、生体情報測定装置を、切欠き又は穴が設けられた四角形状の生体情報測定装置用カバーで覆うことで、情報表示部の目視を可能にしつつ、測定面全体を保護することができる。
【考案の効果】
【００２１】
本考案によれば、足等が載る載置部材を清潔に保つことができ、足等を載せた際に肌触りがよく、冷たさを感じることのない生体情報測定装置用カバーを提供することができる。
【図面の簡単な説明】
【００２２】
【図１】（Ａ）は実施形態１の生体情報測定装置用カバーを示す平面図であり、（Ｂ）はその側面図である。
【図２】（Ａ）は実施形態１の生体情報測定装置用カバーの生体情報測定装置への取付け後を示す斜視図であり、（Ｂ）はそのＡ−Ａ断面図であり、（Ｃ）はその底面図である。
【図３】（Ａ）は実施形態２の生体情報測定装置用カバーの生体情報測定装置への取付け後を示す斜視図であり、（Ｂ）はそのＢ−Ｂ断面図である。
【図４】（Ａ）は実施形態３の生体情報測定装置用カバーの生体情報測定装置への取付け後を示す斜視図であり、（Ｂ）はそのＸ方向側面図であり、（Ｃ）はその底面図である。
【図５】（Ａ）は実施形態４の生体情報測定装置用カバーの生体情報測定装置への取付け前を示す斜視図であり、（Ｂ）は取付け後のＣ−Ｃ断面図である。
【図６】（Ａ）は変形例の生体情報測定装置用カバーの生体情報測定装置への取付け前を示す斜視図であり、（Ｂ）は取付け後のＤ−Ｄ断面図である。
【考案を実施するための形態】
【００２３】
本発明の実施形態に係る生体情報測定装置用カバーの一例について、図面を用いて詳細に説明する。
【００２４】
（実施形態１）
図１に示すように、本考案に係る生体情報測定装置用カバー１０は、載置部材１２と固定手段１４とから成る。実施形態１では、固定手段１４は一対のテープ１６とフック１８とで構成されており、８個の固定手段１４が載置部材１２の外周部分に設けられている。
【００２５】
載置部材１２は、パイル（毛羽）がループ状に織り込まれたタオル生地の布素材である。載置部材１２は、図１（Ａ）に示すように、１辺に四角形状の切欠き１２Ａが形成されたコの字型形状を有している。
【００２６】
テープ１６は柔軟性及び伸縮性を有する帯状の布素材であり、８個のテープ１６の一端が載置部材１２の外周部分の裏面にそれぞれ縫い付けられている。また、テープ１６の他端にはそれぞれフック１８が取り付けられている。
【００２７】
フック１８はプラスチック製のＵ字型フックである。フック１８には、突出部１９及び突出部１９に形成された貫通孔１９Ａが設けられており、テープ１６の他端が貫通孔１９Ａに通されて突出部１９に結び付けられることにより、テープ１６とフック１８とが固定されている。
【００２８】
一方、図２（Ｃ）に示すように、生体情報測定装置２０の裏面（底面）の外周部分には、溝（取付部）２２が全周に亘って形成されている。生体情報測定装置用カバー１０を生体情報測定装置２０に取り付ける際には、載置部材１２を生体情報測定装置２０の測定面２４に載置した後、８個のフック１８をそれぞれ生体情報測定装置２０の溝２２に嵌合させることにより、生体情報測定装置用カバー１０を生体情報測定装置２０上に固定することができる。なお、溝２２は、必ずしも全周に亘って形成する必要はなく、例えば、固定手段１４に対応する位置だけに溝２２を形成してもよい。
【００２９】
生体情報測定装置２０の測定面２４は人が足等を載せる部分であり、図２（Ａ）に示すように、体重等の数値が表示される四角形状の情報表示部２６が設けられている。生体情報測定装置用カバー１０は、情報表示部２６を覆わないよう、切欠き１２Ａが情報表示部２６の上となるように生体情報測定装置２０の測定面２４に載置されている。
【００３０】
また、図２（Ｃ）に示すように、生体情報測定装置２０の裏面（底面）には４個の脚部２８が形成されており、脚部２８には図示しないセンサがそれぞれ設けられている。生体情報測定装置２０の測定面２４に載置された生体情報測定装置用カバー１０上に足等を載せることで、生体情報測定装置２０に載っている人の体重をセンサによって計測することができる。
【００３１】
このとき、足等が載る生体情報測定装置用カバー１０の載置部材１２は、タオル生地から成るため、暖かく、肌触りがよい。また、吸水性がよく、洗濯機で洗濯することができ、取り扱いが容易である。
【００３２】
また、生体情報測定装置用カバー１０は、切欠き１２Ａが形成されたコの字型形状であるため、生体情報測定装置２０の情報表示部２６の目視を可能にしつつ、測定面２４全体を保護することができる。
【００３３】
さらに、生体情報測定装置用カバー１０は、テープ１６とフック１８とから成る固定手段１４によって生体情報測定装置２０の測定面２４に着脱可能に固定されているため、洗濯して繰り返し使用することができ、測定面２４を清潔に保つことができる。なお、固定手段１４にテープ１６を用いることで、洗濯の際にプラスチック製のフック１８を取り外し可能な構成としても良いが、本発明は、これに限られるものではなく、テープ１６の代わりに、例えば、ゴムバンド等を用いてもよい。
【００３４】
（実施形態２）
実施形態２では、図３に示すように、生体情報測定装置用カバー３０は、載置部材３２と固定手段３４とから成り、固定手段３４は環状の紐で構成されている。なお、生体情報測定装置２０は実施形態１で用いられたものと同様の構成であるため、同じ符号を使用し、説明を省略する。
【００３５】
載置部材３２は、実施形態１と同様のタオル生地の布素材であり、人の足型に裁断された一対の布素材から成る。また、紐（固定手段）３４は伸縮性を有するゴム紐であり、両端が載置部材３２の側面に縫い付けられることによって環状とされている。一対の載置部材３２にはそれぞれ２個ずつ紐３４が設けられている。
【００３６】
一方、生体情報測定装置２０の溝２２には、４個の留め具３６が着脱可能に取り付けられている。留め具３６はプラスチック製のＵ字フックであり、先端が下向きに曲がった鉤型の突起部（凸部）３７を有している。
【００３７】
生体情報測定装置用カバー３０を生体情報測定装置２０に取り付ける際には、載置部材３２を生体情報測定装置２０の測定面２４に載置した後、４個の環状の紐３４をそれぞれ引き伸ばして留め具３６の突起部３７に係止させることにより、生体情報測定装置用カバー３０を生体情報測定装置２０上に固定することができる。なお、突起部３７は先端が下向きに曲がっているため、係止された紐３４が外れにくくなっている。
【００３８】
実施形態２では、生体情報測定装置用カバー３０が布素材の載置部材３２とゴム製の紐３４のみから成るため、取り扱いが容易であり、繰り返し洗濯することができる。
【００３９】
また、生体情報測定装置用カバー３０が足型に裁断された一対の載置部材３２から成るため、生体情報測定装置２０の測定面２４の足が載る部分のみを確実に覆うことができ、情報表示部２６を覆うことがない。
【００４０】
（実施形態３）
実施形態３では、図４に示すように、生体情報測定装置用カバー４０は、載置部材４２と固定手段４４とから成り、固定手段４４は２本のバンドで構成されている。載置部材４２は、実施形態１の載置部材１２と同様のコの字型形状のタオル生地の布素材である。
【００４１】
バンド（固定手段）４４は、伸縮性を有する帯状のゴムバンドであり、２本のバンド４４が載置部材４２に並設されている。具体的には、２本のバンド４４の一端が載置部材４２の一辺にそれぞれ縫い付けられ、他端が載置部材４２の対向する他辺にそれぞれ縫い付けられることによって、バンド４４がそれぞれ環状とされている。
【００４２】
生体情報測定装置用カバー４０を生体情報測定装置２０に取り付ける際には、載置部材４２を生体情報測定装置２０の測定面２４に載置した後、２本の環状のバンド４４をそれぞれ生体情報測定装置２０の側面から裏面（底面）に亘って掛け渡す。ここで、バンド４４の長さは、生体情報測定装置２０の側面から裏面（底面）に亘る長さより短くされている。したがって、バンド４４の収縮力により生体情報測定装置用カバー４０の載置部材４２が生体情報測定装置２０の測定面２４に密着固定される。
【００４３】
なお、図４（Ｃ）に示すように、バンド４４は、生体情報測定装置２０の脚部２８を避けて生体情報測定装置２０の裏面（底面）に掛け渡されており、また、図４（Ｂ）に示すように、バンド４４の厚さは脚部２８の高さ（厚さ）より薄くされている。したがって、脚部２８に設けられたセンサによる体重の計測が阻害されることはない。
【００４４】
実施形態３では、固定手段をバンド４４とし、バンド４４のみで生体情報測定装置用カバー４０を生体情報測定装置２０に取り付けることができる。したがって、生体情報測定装置２０に溝２２等の取付部が形成されていない場合であっても生体情報測定装置用カバー４０を取り付けることができ、生体情報測定装置用カバー４０の汎用性を高めることができる。
【００４５】
（実施形態４）
図５に示すように、実施形態４では、実施形態３の生体情報測定装置用カバー４０が、シリコン樹脂カバー５０を介して生体情報測定装置２０の測定面２４に載置される。
【００４６】
シリコン樹脂カバー５０は、粘着性を有する薄いシリコン樹脂製のカバーであり、生体情報測定装置２０の側面と測定面２４を覆う大きさとされている。シリコン樹脂カバー５０は、粘着力により生体情報測定装置２０に密着して取り付けられている。なお、生体情報測定装置２０の脚部２８はシリコン樹脂カバー５０で覆われることなく露出している。
【００４７】
また、シリコン樹脂カバー５０には、生体情報測定装置２０の情報表示部２６と対応する位置に四角形状の穴５０Ａが形成されており、生体情報測定装置２０にシリコン樹脂カバー５０を取り付けた際に、シリコン樹脂カバー５０上から情報表示部２６が目視可能となっている。
【００４８】
載置部材４２をシリコン樹脂カバー５０上に載置した後、シリコン樹脂カバー５０を介してバンド４４を生体情報測定装置２０の側面から裏面（底面）に亘って掛け渡すことによって、生体情報測定装置用カバー４０が生体情報測定装置２０に取り付けられる。なお、バンド４４の厚さとシリコン樹脂カバー５０の厚さとを合わせた厚さは、脚部２８の高さ（厚さ）より薄くされている。
【００４９】
実施形態４では、生体情報測定装置用カバー４０が、シリコン樹脂カバー５０を介して生体情報測定装置２０に取り付けられているため、生体情報測定装置用カバー４０とシリコン樹脂カバー５０とで、二重に生体情報測定装置２０の測定面２４を保護することができる。
【００５０】
（変形例）
生体情報測定装置６０として、ベビースケール（乳児用体重計）６０を用いた変形例を図６に示す。変形例では、生体情報測定装置用カバー７０の載置部材７２は、ベビースケール６０の測定面６２と略同じ大きさの四角形状のタオル生地の布素材である。固定手段７４は実施形態１の固定手段１４と同様の構成であるため、説明を省略する。なお、固定手段７４は、上記実施形態１〜３のいずれの固定手段１４、３４、４４が用いられていてもよい。
【００５１】
図６（Ｂ）に示すように、ベビースケール６０の裏面（底面）の外周部分には、溝（取付部）６４が形成されている。生体情報測定装置用カバー７０をベビースケール６０に取り付ける際には、実施形態１の場合と同様に、載置部材７２をベビースケール６０の測定面６２に載置した後、固定手段７４をベビースケール６０の溝６４に嵌合させる。
【００５２】
ベビースケール６０では、測定面６２に乳児の体を寝かせて体重を測定するため、測定面６２に生体情報測定装置用カバー７０が取り付けられていることで、乳児の体が清潔に保たれる。また、生体情報測定装置用カバー７０は、タオル生地の布素材であるため肌触りがよく、乳児の柔らかい肌にもやさしい触感となる。
【００５３】
（その他の実施形態）
なお、本発明について実施形態の一例を説明したが、本発明はかかる実施形態に限定されるものではなく、本発明の範囲内にて他の種々の実施形態が可能である。
【００５４】
例えば、上記の実施形態では、載置部材１２、３２、４２、７２はパイルがループ状に織り込まれたタオル生地の布素材であったが、パイル表面をカットしたシャーリング生地の布素材から構成されていてもよい。
【００５５】
また、実施形態２において、留め具３６は生体情報測定装置２０の溝２２に着脱可能に取り付けられていたが、留め具３６は生体情報測定装置２０に一体的に形成されていてもよい。その場合、生体情報測定装置２０に溝２２が形成されている必要はなく、生体情報測定装置２０の側面に突起部３７が形成されている構成とすることができる。
【００５６】
また、実施形態３、４において、２本のバンド４４が載置部材４２に並設されていたが、２本のバンド４４が生体情報測定装置２０の裏面（底面）で交差するように設けられていてもよい。さらに、バンド４４の本数も１本、もしくは３本以上であってもよい。
【００５７】
同様に、実施形態１、２及び変形例において、固定手段１４、３４、７４の数は、適宜変更することができる。
【００５８】
また、載置部材１２、３２、４２の形状は、実施形態１、３、４のコの字型形状や実施形態２の足型、変形例の四角形状に限られない。測定面２４、６２の足等が載る部分が覆われる形状であれば、いかなる形状であっても良い。
【００５９】
さらに、上記実施形態１〜４及び変形例は、適宜組み合わせることができる。例えば、実施形態１、３、４のコの字型形状の載置部材１２、４２の代わりに実施形態２の足型の載置部材３２を用いることができるし、実施形態２の足型の載置部材３２の代わりに実施形態１、３、４のコの字型形状の載置部材１２、４２を用いることもできる。  
【符号の説明】
【００６０】
１０、３０、４０、７０      生体情報測定装置用カバー
１２、３２、４２、７２      載置部材
１４、７４           固定手段
１８                 フック（固定手段）
２０                 生体情報測定装置
２２、６４           溝（取付部）
２４、６２           測定面
３４                 紐（固定手段）
３６                 留め具
３７                 突起部（凸部）
４４                 バンド（固定手段）
５０                 シリコン樹脂カバー
６０                 ベビースケール（生体情報測定装置）
【図１】
0003190833.tif 000003
【図２】
0003190833.tif 000004
【図３】
0003190833.tif 000005
【図４】
0003190833.tif 000006
【図５】
0003190833.tif 000007
【図６】
0003190833.tif 000008